(57)【特許請求の範囲】
【請求項１】
テレビ放送番組の映像・音声データを情報記録媒体に一時記録したのち、この記録データを読み出して光ディスクにダビング記録する記録再生装置であって、
チューナが受信したテレビ放送番組のアナログ信号の映像・音声データをデジタル信号の映像・音声データに変換したのちにエンコードしたデータを送出する信号処理部と、
各々が有するコネクタをプリント基板に設けた複数のジャックにそれぞれ差し込むことで前記プリント基板に着脱自在に取着された複数個のフラッシュメモリおよび前記プリント基板の配線パターンを介し前記各ジャックにそれぞれ接続されて前記各フラッシュメモリに対しデータの記録および記録データの読み出しを実行するサブコントローラを備えてなり、前記情報記録媒体として設けられたフラッシュメモリ部と、
前記フラッシュメモリ部の前記プリント基板を衝撃吸収部材を介して内部に支持した状態で装置本体に着脱自在に装着された収納ケースと、
一端が前記サブコントローラに接続されて前記フラッシュメモリ部に取着され、且つ装置本体のメインジャックに接続されるメインコネクタが他端に設けられたフレキシブルな接続コードと、
前記信号処理部から入力するデータストリームを、前記メインジャックと前記メインコネクタを介して接続された前記サブコントローラに送出して該サブコントローラを制御することにより前記各フラッシュメモリに記録させるとともに、ユーザからダビング指令が入力したときに、前記サブコントローラを制御することにより前記各フラッシュメモリから記録データを読み出させてデータストリームを送出するストリームコントローラと、
前記ストリームコントローラから入力するデータストリームを光ディスクにダビング記録するとともに、前記光ディスクから読み出した映像・音声データを前記ストリームコントローラに対し出力する記録再生部と、
を備えていることを特徴とする記録再生装置。
【請求項２】
各々が有するコネクタがプリント基板に設けた複数のジャックにそれぞれ差し込まれて前記プリント基板に着脱自在に取着された複数個のフラッシュメモリおよび前記プリント基板の配線パターンを介し前記各ジャックにそれぞれ接続されて前記各フラッシュメモリに対しデータの記録および記録データの読み出しを実行するサブコントローラを備えて記録再生装置の情報記録媒体として設けられるフラッシュメモリ部を、記録再生装置の装置本体に着脱自在に装着する着脱支持構造であって、
前記フラッシュメモリ部の前記プリント基板が、前記各フラッシュメモリが上方に位置する配置で筐体状の収納ケース内にこれの上方開口から収納されて、前記プリント基板の周縁と前記収納ケースの内周壁との間に介在された衝撃吸収部材としての複数のダンパによって前記収納ケースの底面に対し空隙を存した状態で支持され、
前記収納ケースが、装置本体の保持部に圧入して着脱自在に保持され、
一端を前記サブコントローラに接続して前記フラッシュメモリ部に取着されたフレキシブルな接続コードの他端に設けたメインコネクタが装置本体のメインジャックに差し込まれることにより、前記サブコントローラが前記メインジャック、前記メインコネクタおよび前記接続コードを介して装置本体のストリームコントローラに接続されていることを特徴とする情報記録媒体の着脱支持構造。
【発明の詳細な説明】
【技術分野】
【０００１】
本発明は、テレビ放送番組の映像・音声データをフラッシュメモリ部に一時記憶した後、ＤＶＤなどの光ディスクにダビング記録するＤＶＤレコーダ等の記録再生装置およびこの記録再生装置の情報記録媒体として用いるフラッシュメモリ部を装置本体に着脱自在に支持するためのの着脱支持構造に係わり、特に、ＨＤＤを使用せずに映像・音声データをダビング記録できる記録再生装置に関する。
【背景技術】
【０００２】
テレビ放送番組をＤＶＤやＨＤ等の光ディスクや磁気ディスクに記録するディスクレコーダは、ＨＤに更新記録した後、ＤＶＤにダピング記録するタイプが広く普及している。この一例として、一時記録時間をより長くするための録画装置が提案されている（特許文献１参照）。この録画装置は、ハードディスク、光ディスク、フラッシュメモリといった記録媒体と、この記録媒体にデータを読み書きする読み書き部と、映像データを取得する映像データ取得部と、ユーザの操作入力を受け付ける入力部および、これらを制御する制御部を備えて構成されている。
【０００３】
そして、前記記録媒体にユーザー録画による映像データと一時録画による映像データとを記録するとともに、ユーザー録画による映像データと一時録画による映像データとを同じ領域に記録するようになっている。
【０００４】
これにより、当該領域に空きがある限り、一時録画による映像データを記録し続けることができ、記録媒体を無駄なく活用して一時録画可能時間を長くすることが可能となる。また、映像データを別の領域に移動させる必要はなく、映像データを柔軟に取り扱えるというものである。
【０００５】
また、光ディスクへの記録時に中断が無かったときと全く同じ内容の情報を記録可能にするディスク記録装置が知られている（特許文献２参照）。このディスク記録装置は、情報生成手段、不揮発性メモリ、記憶手段、読み出し手段および情報ファイル復元手段等を備えており、記録すべき映像信号に応じた映像ファイルと、この映像ファイルを再生するときに必要となる情報ファイルとを予め所定のメモリに蓄え、このメモリから順次、光ディスクに記録するようになっている。そして、情報ファイル復元手段により復元された情報ファイルに基づき、記録中断以後の映像信号の記録再開を行う。これにより、記録中断が無かったときと全く同じ内容の情報を記録中断語に記録することができる。
【０００６】
また、ビデオカメラ等においてデータをバックアップすることを目的としたデータ記憶装置が提案されている（特許文献３参照）。このデータ記憶装置は、取得したデータを記憶する複数種類の記憶媒体の装着を可能としており、これらの中で一種類の記憶媒体にデータを記憶させる記憶部と、当該記憶媒体に適合した形式で記憶部をフォーマットする手段とを備えている。
【０００７】
そして、撮像した静止画像をＳＤカードに記憶しておき、予めＮＡＮＤ型フラッシュメモリをフォーマットしておき、制御部が記憶媒体の空き容量が不足した時点で前記データをＮＡＮＤ型フラッシュメモリに記憶するようによっている。これにより、外付けの記憶媒体の一つの空き容量が不足している場合でも、データをバックアップできるというものである。
【０００８】
【特許文献１】特開２００３−２６４７６５号公報
【特許文献２】特開２００６−７９７３６号公報
【特許文献３】特開２００６−１７９０６２号公報
【発明の開示】
【発明が解決しようとする課題】
【０００９】
ところで、上記特許文献１の録画装置は、フラッシュメモリ等の記録媒体を無駄なく活用して一時録画可能時間を長くすることができるが、フラッシュメモリを録画装置に対し着脱自在に接続する構成を有していないので、映像・音声データの記録容量を増加させる必要に応じてフラッシュメモリを大容量のタイプに交換したり、その個数を増加させるといったことが容易にできず、利用範囲に一定の限界があった。
また、上記特許文献２のディスク記録装置は、ＮＡＮＤ型フラッシュメモリを用い、記録中断以後の映像信号の記録再開を行うので、記録中断が無かったときと全く同じ内容の情報を記録中断後にも記録できるが、フラッシュメモリをディスク記録装置に対し着脱自在に接続する構成となっていないため、上述の如く、利用範囲に一定の限界があった。
また、上記特許文献３のデータ記憶装置は、記憶媒体の空き容量が不足した時点でデータをＮＡＮＤ型フラッシュメモリに記憶するため、外付けの記憶媒体の一つの空き容量が不足している場合でも、データをバックアップできるが、フラッシュメモリを大容量のタイプに交換したり、その個数を増加させるといったことができず、やはり、利用範囲に一定の限界があった。
本発明は、上記課題に鑑みてなされたもので、必要に応じて大容量タイプのフラッシュメモリへの交換やフラッシュメモリの個数の増加を容易に行うことができるフラッシュメモリ部を備え、しかも、コンパクトな構造により記録再生装置を小型化できるうえ、故障の少ない記録再生装置及びこれの情報記録媒体として好適に用いることができるフラッシュメモリ部を装置本体に着脱自在に支持できる情報記録媒体の着脱支持構造を提供することを目的としている。
【課題を解決するための手段】
【００１０】
上記目的を達成するため、本発明に係る記録再生装置は、テレビ放送番組の映像・音声データを情報記録媒体に一時記録したのち、この記録データを読み出して光ディスクにダビング記録する記録再生装置であって、チューナが受信したテレビ放送番組のアナログ信号の映像・音声データをデジタル信号の映像・音声データに変換したのちにエンコードしたデータを送出する信号処理部と、各々が有するコネクタをプリント基板に設けた複数のジャックにそれぞれ差し込むことで前記プリント基板に着脱自在に取着された複数個のフラッシュメモリおよび前記プリント基板の配線パターンを介し前記各ジャックにそれぞれ接続されて前記各フラッシュメモリに対しデータの記録および記録データの読み出しを実行するサブコントローラを備えてなり、前記情報記録媒体として設けられたフラッシュメモリ部と、前記フラッシュメモリ部の前記プリント基板を衝撃吸収部材を介して内部に支持した状態で装置本体に着脱自在に装着された収納ケースと、一端が前記サブコントローラに接続されて前記フラッシュメモリ部に取着され、且つ装置本体のメインジャックに接続されるメインコネクタが他端に設けられたフレキシブルな接続コードと、前記信号処理部から入力するデータストリームを、前記メインジャックと前記メインコネクタを介して接続された前記サブコントローラに送出して該サブコントローラを制御することにより前記各フラッシュメモリに記録させるとともに、ユーザからダビング指令が入力したときに、前記サブコントローラを制御することにより前記各フラッシュメモリから記録データを読み出させてデータストリームを送出するストリームコントローラと、前記ストリームコントローラから入力するデータストリームを光ディスクにダビング記録するとともに、前記光ディスクから読み出した映像・音声データを前記ストリームコントローラに対し出力する記録再生部とを備えていることを特徴としている。
また、本発明に係る情報記録媒体の着脱支持構造は、各々が有するコネクタがプリント基板に設けた複数のジャックにそれぞれ差し込まれて前記プリント基板に着脱自在に取着された複数個のフラッシュメモリおよび前記プリント基板の配線パターンを介し前記各ジャックにそれぞれ接続されて前記各フラッシュメモリに対しデータの記録および記録データの読み出しを実行するサブコントローラを備えて記録再生装置の情報記録媒体として設けられるフラッシュメモリ部を、記録再生装置の装置本体に着脱自在に装着する着脱支持構造であって、前記フラッシュメモリ部の前記プリント基板が、前記各フラッシュメモリが上方に位置する配置で筐体状の収納ケース内にこれの上方開口から収納されて、前記プリント基板の周縁と前記収納ケースの内周壁との間に介在された衝撃吸収部材としての複数のダンパによって前記収納ケースの底面に対し空隙を存した状態で支持され、前記収納ケースが、装置本体の保持部に圧入して着脱自在に保持され、一端を前記サブコントローラに接続して前記フラッシュメモリ部に取着されたフレキシブルな接続コードの他端に設けたメインコネクタが装置本体のメインジャックに差し込まれることにより、前記サブコントローラが前記メインジャック、前記メインコネクタおよび前記接続コードを介して装置本体のストリームコントローラに接続されていることを特徴としている。
【発明の効果】
【００１１】
本発明に係る記録再生装置によれば、複数個のフラッシュメモリが、各々が有するコネクタをプリント基板に配設された複数のジャックにそれぞれ差し込んで着脱自在に取着されてなるフラッシュメモリ部を有しているので、映像・音声データの記録容量を増加させる必要が生じた場合、新たなフラッシュメモリのコネクタをプリント基板のジャックに差し込んでフラッシュメモリの個数を増やしたり、大容量タイプのフラッシュメモリに交換することで容易に対応できるので、利便性が格段に高くなる。また、従来において情報記録媒体として設けられているＨＤＤに代えてメラッシュメモリ部を設けたので、回転部分が無くなるのに伴って故障が少なくなるうえ、従来に比してコンパクトな構造となり、装置全体を小型化できる。さらに、フラッシュメモリ部のプリント基板が、装置本体に装着された収納ケースの内部に、衝撃吸収部材を介在して支持されているから、記録再生装置が落下したり、強い衝撃を受けることがあっても、フラッシュメモリ部の各フラッシュメモリが保護されて記録データが消失するといった問題が回避される効果がある。
また、本発明に係る情報記録媒体の着脱支持構造によれば、フラッシュメモリ部におけるフラッシュメモリの増加または交換を行うに際しては、接続コードのメインコネクタをメインジャックから抜脱したのちに収納ケースを装置本体の保持部から取り外した状態で、収納ケースの上方開口からプリント基板のジャックにメラッシュメモリのコネクタを差し込むだけでよく、作業性が向上する。また、フラッシュメモリは、衝撃吸収部材としての複数のダンパにより収納ケース内で浮いた状態で保持されているので、記録再生装置の落下や強い衝撃を受けた場合であっても、各フラッシュメモリを記録データが消失しないように確実に保護することができる。
【発明を実施するための最良の形態】
【００１２】
以下、本発明に係る記録再生装置及び着脱式情報記録媒体の実施形態について、図面を参照しながら詳述する。
図１は、本発明の一実施形態である記録再生装置及び着脱式情報記録媒体の概要構成を示す斜視図である。
本実施形態の記録再生装置は、テレビ放送番組の映像・音声データを情報記録媒体に更新記録した後、この記録データを光ディスク（ＤＶＤ）１０にダビング可能とするＤＶＤレコーダーに適用されたもので、情報記録媒体を従来のＨＤに代えてフラッシュメモリ９とし、メインとサブのコントローラ８，１７により記録・再生を制御する構成となっている。
ＤＶＤレコーダーは、図示省略しているが、装置本体１を構成するフロントパネルに表示部、操作部およびディストレイ部等を設け、リアパネルに接続端子部を配設している。
そして、装置本体１内には、記録・再生機能に関した各種の機構部や回路各部、さらに、フラッシュメモリ部１８を収納するケース２を着脱自在に保持している。
この収納ケース２は、上方が開口した略矩形状の筐体であり、装置本体１の底板１ａに載置される。この底板１ａには、収納ケース２の外形よりも僅かに小さいサイズの保持部１ｂが立設されている。
これにより、保持部１ｂ内に収納ケース２を押し込むと、底板１ａ上に収納ケース２が保持される。
そして、収納ケース２を把持して引き上げると、保持部１ｂ内から取り出して外すことができる。
なお、この収納ケース２は、８個のダンパ４を用いてプリント基板３を保持している。
ダンパ４は、衝撃吸収用であり、スプリングやゴム等により形成されている。各ダンパ４は、一端を収納ケース２の内側壁２ａに掛止し、他端をプリント基板３の周縁３ｂにそれぞれ掛止している。
すると、プリント基板３が宙吊り状態となるので、ＤＶＤレコーダーが落下等により強い衝撃を受けたとき、それをダンパ４が吸収してフラッシュメモリ９に衝撃が加えられるのが軽減され、記録データが保護される。
フラッシュメモリ９は、ＮＡＮＤ型であり、本例では、記憶容量５Ｇバイトのタイプを６個搭載し、３０Ｇバイトにしているが、記録時間の増加に応じて容量の大きいタイプを搭載してもよい。また、搭載個数を増加してもよい。
このフラッシュメモリ９は、それぞれ一側部に接続用のコネクタを備えており、プリント基板３上に配設されたジャックに差し込み接続されるようになっている。これらのジャックは、配線パターンを介してコントローラ８に接続されている。
このコントローラ８は、ＩＣチップマイコンであり、図示省略した接続ポートを介してフレキシブルな接続用コード５の一端と接続されている。
このコード５は、他端にメインコネクタ６を接続しており、装置本体１側のメインジャック７に差し込み接続するようになっている。
このメインジャック７は、装置本体１の一側壁１ｃに形成された凹所１ｄに取り付けられており、図示しない接続ポートを介して後述のストリームコントローラ１７に接続されている。
【００１３】
以上のように、このＤＶＤレコーダーは、フラッシュメモリ部１８を収納したケース２を装置本体１に対し着脱自在に保持している。また、メインコネクタ６とメインジャック７とが差し込み接続方式であり、各フラッシュメモリ９のコネクタも基板３上のジャック７に対し差し込み接続方式となっている。
【００１４】
よって、映像・音声データの記録容量を増加させる場合、基板３上の各フラッシュメモリ９を簡便に交換し得るから、従来のハードディスクと変わらず、フラッシュメモリ９によるテレビ放送番組の更新記録が可能となる。
図２は、本発明の一実施形態である記録再生装置及び着脱式情報記録媒体の電気的構成を示すブロック線図である。
【００１５】
図２において、１０はＤＶＤであり、ディスクトレイに載置されて、スピン
ドルモータ（ＳＰモータ）１１により回転駆動される。
また、１２は光ピックアップであり、ＤＶＤ１０のトラックから光学的に読み取った再生情報をフロントエンドプロセッサ（ＦＥプロセッサ）１５に送出する。
そして、このＦＥプロセッサ１５の出力は、ワンチップの光ディスクコントローラ１６に与えられる。
この光ディスクコントローラ１６の出力は、レーザーパワーコントローラ１４とスピンドルモータドライバ（ＳＰＭドライバ）１３に接続されている。このＳＰＭドライバ１３は、光ディスクコントローラ１６の制御信号によってスピンドルモータ１１の回転を制御する。
一方、レーザーパワーコントローラ１４は、光ディスクコントローラ１６の制御信号を受けて、データの再生または記録時に光ピックアップ１２から出力されるレーザーパワーを制御する。
また、前記光ディスクコントローラ１６は、ストリームコントローラ１７と双方向性に接続されており、このストリームコントローラ１７からの出力信号をレーザーパワーコントローラ１４やＳＰＭドライバ１３に送出する。
【００１６】
さらに、ＦＥプロセッサ１５からの出力信号をストリームコントローラ１７側に送出する。
このストリームコントローラ１７は、前記フラッシュメモリ部１８と双方向性に接続され、ＭＰＥＧ（Motion Picture Expert Group）２ＡＶエンコーダ１９からの出力が導かれている。また、アドレスデータバス２１を介して、ＭＰＥＧ２ＡＶデコーダ２０と双方向性に接続されている。
【００１７】
なお、このストリームコントローラ１７は、映像・音声データを一時格納するＳＤＲＡＭ（シンクロナスＲＡＭ）１７ａを備えている。
フラッシュメモリ部１８は、図３に示すように、コントローラ８と複数個（本例では６個）のフラッシュメモリ９を備えて構成されている。
コントローラ８は、メインのストリームコントローラ１７に対するサブコントローラであり、ストリームコントローラ１７の制御によって、各フラッシュメモリ９のデータ書き込み、読み出しを実行する。
ストリームコントローラ１７から映像・音声データが送出されてくると、フラッシュメモリ９に順次書き込む一方、このフラッシュメモリ９から順次映像・音声データ読み出してストリームコントローラ１７に送出する。
このＤＶＤレコーダーは、ＨＤに代えてフラッシュメモリ９を用い、ＨＤＤに代えてコントローラ８，１７を採用しているので、受信放送番組の信号が変換されたデータストリームがストリームコントローラ１７から送出されてくると、コントローラ８がフラッシュメモリ９に更新記録させる。
一方、再生指令やダビング指令があると、コントローラ８がフラッシュメモリ９から指定の記録データを読み出して、ストリームコントローラ１７側に送出する。
ＭＰＥＧ２ＡＶエンコーダ１９は、アドレスデータバス２１と双方向性に接続され、映像ディジタル変換部２２とオーディオＡＤＣ２３の出力が導かれている。
このＭＰＥＧ２ＡＶエンコーダ１９は、映像ディジタル変換部２２からの映像データをＭＰＥＧ２形式でエンコードし、ストリームコントローラ１７に送出する。また、オーディオＡＤＣ２３からの音声データをストリームコントローラ１７側に伝送する。１９ａは、前述のＳＤＲＡＭ１７ａと同一機能を有したＳＤＲＡＭである。
ＭＰＥＧ２ＡＶデコーダ２０は、オーディオＤＡＣ２４を介して音声信号出力端子２６と、映像信号出力端子２７とに接続されている。
【００１８】
このＭＰＥＧ２ＡＶデコーダ２０は、アドレスデータバス２１を介して送出されてくる映像データをデコードして映像信号出力端子２７に出力する。
【００１９】
また、アドレスデータバス２１を介して送出されてくる音声データをオーディオＤＡＣ２４に伝送する。
このオーディオＤＡＣ２４は、ディジタル音声データをアナログ信号に変換して音声信号出力端子２６に送出する。２０ａは、前述のＳＤＲＡＭ１７ａ，１９ａと同じＳＤＲＡＭである。
映像ディジタル変換部２２は、アドレスデータバス２１と双方向性に接続されており、テレビ放送番組を受信するチューナ２５からの出力信号が導かれている。
この映像ディジタル変換部２２は、チューナ２５からのアナログ映像信号をディジタル変換して前記ＭＰＥＧ２ＡＶエンコーダ１９やアドレスデータバス２１側に送出する。２２ａは、前述のＳＤＲＡＭである。
なお、チューナの出力２５は、オーディオＡＤＣ２３に接続されている。このオーディオＡＤＣ２３は、チューナ２５からのアナログ映像信号をディジタル変換して前記ＭＰＥＧ２ＡＶエンコーダ１９に送出する。
前記音声信号出力端子２６および映像信号出力端子２７には、ＴＶモニタが接続されており、音声信号出力端子２６からの音声信号と映像信号出力端子２７よりの映像信号とを受けて、モニタの画面に映像を表示しスピーカから音声を放音させる。
上記構成によれば、ユーザーがリモコン等によりテレビ番組のチャンネルを選択すると、チューナ２５から受信放送の信号が映像ディジタル変換部２２とオーディオＡＤＣ２３とに送出される。
映像ディジタル変換部２２は、アナログ映像信号をディジタル映像信号に変換してＭＰＥＧ２ＡＶエンコーダ１９に伝送する。  
一方、オーディオＡＤＣ２３は、アナログ音声信号をディジタル音声信号に変換してＭＰＥＧ２ＡＶエンコーダ１９に伝送する。
このＭＰＥＧ２ＡＶエンコーダ１９は、エンコードしたデータをストリームコントローラ１７に送出する。これを受けて、ストリームコントローラ１７がデータストリームをコントローラ８に送出すると、順次フラッシュメモリ９に更新記録されてゆく。
そして、ユーザーがＤＶＤ１０にダビング指令をしたときは、コントローラ８がフラッシュメモリ９の記録データを読み出して、ストリームコントローラ１７側に送出する。
このストリームコントローラ１７は、データストリームを光ディスクコントローラ１６側に伝送する。すると、この光ディスクコントローラ１６がＳＰＭドライバ１３やレーザーパワーコントローラ１４等を制御し、ＤＶＤ１０に書き込み記録させる。
これにより、ユーザーが予め選択した受信放送番組がＤＶＤ１０に記録される。よって、情報記録媒体にフラッシュメモリ９を用いることにより、ハードディスクに更新記録する場合と同様の作用効果を有する。
ところで、上記実施形態においては、複数個のフラッシュメモリ９をプリント基板３に搭載し、衝撃吸収用のダンパ４を介してケース２に収納したうえ、コントローラ８，１７により書き込み、読み出しを制御するようにしたが、大容量のフラッシュメモリを１個用いる構成としてもよい。
この場合は、フラッシュメモリにフレキシブルなコネクタを設ける一方、ジャックはコネクタが差し込まれる構造とし、装置本体１の底板１ａに衝撃吸収用の部材を介して保持しておく。そして、このジャックに前記ストリームコントローラ１７を接続する。
これにより、ストリームコントローラ１７がフラッシュメモリにデータを直接記録し、再生する制御を行うので、前述と同様の更新記録や再生が可能となる。
なお、本発装置明は上記の各実施形態に限定されず、本発明の趣旨を逸脱しない範囲で、種々の変更が可能である。
【図面の簡単な説明】
【００２０】
【図１】本発明の一実施形態である記録再生装置及び着脱式情報記録媒体の概要構成を示す斜視図である。
【図２】同情報記録再生装置の電気的構成を示すブロック線図である。
【図３】着脱式情報記録媒体側の電気的構成を示すブロック線図である。
【符号の説明】
【００２１】
１  装置本体
１ｂ  保持部
２  収納ケース
２ａ  内周壁
３  プリント基板
３ｂ  周縁
４  ダンパ（衝撃吸収部材）
６  メインコネクタ
７  メインジャック
８  サブコントローラ
９  フラッシュメモリ
１０  ＤＶＤ（光ディスク）
１８  フラッシュメモリ部
１７  ストリームコントローラ
２５  チューナ
【図１】
0004325660.tif 000002
【図２】
0004325660.tif 000003
【図３】
0004325660.tif 000004